(57)【特許請求の範囲】
【請求項１】
所定の搬送波周波数を有し、位相変調された同期バースト信号を含む信号を受信して、この受信した信号の搬送波周波数の誤差を検出するとともに、この検出された搬送波周波数の誤差に基づいて前記受信した信号の搬送波周波数の誤差を除去することにより、前記受信した信号から前記搬送波周波数に同期した信号を生成する周波数同期信号生成手段と、
前記周波数同期信号生成手段からの前記搬送波周波数に同期した信号が供給されて、この前記搬送波周波数に同期した信号の搬送波位相の誤差を検出するとともに、この検出された搬送波位相の誤差に基づいて前記搬送波周波数に同期した信号の搬送波位相の誤差を除去することにより、前記周波数同期信号生成手段により前記搬送波周波数に同期された信号の位相を、前記受信された信号の搬送波位相に同期させる搬送波位相同期手段と、
前記搬送波位相同期手段により位相が同期された信号から前記同期バースト信号を検出する同期バースト信号検出手段と、
前記同期バースト信号検出手段により前記同期バースト信号が検出されたタイミングを検出するタイミング検出手段と
を備えることを特徴とする同期装置。
【請求項２】
所定の搬送波周波数を有し、位相変調された同期バースト信号を含む信号を受信して、この受信した信号の搬送波周波数の誤差を検出するとともに、この検出された搬送波周波数の誤差に基づいて前記受信した信号の搬送波周波数の誤差を除去することにより、前記受信した信号から前記搬送波周波数に同期した信号を生成する周波数同期信号生成ステップと、
前記周波数同期信号生成ステップで生成された前記搬送波周波数に同期した信号の搬送波位相の誤差を検出するとともに、この検出された搬送波位相の誤差に基づいて前記搬送波周波数に同期した信号の搬送波位相の誤差を除去することにより、前記周波数同期信号生成ステップで前記搬送波周波数に同期された信号の位相を、前記受信された信号の搬送波位相に同期させる搬送波位相同期ステップと、
前記搬送波位相同期ステップで位相が同期された信号から前記同期バースト信号を検出する同期バースト信号検出ステップと、
前記同期バースト信号検出ステップで前記同期バースト信号が検出されたタイミングを検出するタイミング検出ステップと
を含むことを特徴とする同期方法。
【請求項３】
所定の搬送波周波数を有し、位相変調された同期バースト信号を含む信号を受信して、この受信した信号の搬送波周波数の誤差を検出するとともに、この検出された搬送波周波数の誤差に基づいて前記受信した信号の搬送波周波数の誤差を除去することにより、前記受信した信号から前記搬送波周波数に同期した信号を生成する周波数同期信号生成ステップと、
前記周波数同期信号生成ステップで生成された前記搬送波周波数に同期した信号の搬送波位相の誤差を検出するとともに、この検出された搬送波位相の誤差に基づいて前記搬送波周波数に同期した信号の搬送波位相の誤差を除去することにより、前記周波数同期信号生成ステップで前記搬送波周波数に同期された信号の位相を、前記受信された信号の搬送波位相に同期させる搬送波位相同期ステップと、
前記搬送波位相同期ステップで位相が同期された信号から前記同期バースト信号を検出する同期バースト信号検出ステップと、
前記同期バースト信号検出ステップで同期バースト信号が検出されたタイミングを検出するタイミング検出ステップと
を含む処理を同期装置に実行させるコンピュータが読み取り可能なプログラムを提供することを特徴とする提供媒体。
【発明の詳細な説明】
【０００１】
【発明の属する技術分野】
本発明は同期装置および方法、並びに提供媒体に関し、特に、受信した信号の搬送波（キャリア）周波数に同期させた後に、キャリア位相に同期させることにより、バースト（Burst）信号であっても、容易にかつ高速に、キャリア同期させることができるようにした同期装置および方法、並びに提供媒体に関する。
【０００２】
【従来の技術】
BS（Broadcasting Satellite）信号には、BPSK（Binary Phase Sift Keying）変調、QPSK（Quadrature Phase Sift Keying）変調、または8PSK（Phase Sift Keying）変調の信号が、バースト信号として混在している。従来、このうちの、例えばBPSK変調信号のキャリアに同期させる必要があるとき、コスタスループや２乗ループなどのPLL（Phase Locked Loop）が用いられている。
【０００３】
【発明が解決しようとする課題】
しかしながら、コスタスループや２乗ループなどのPLLを用いると、キャリア位相が次のバースト信号までジャンプする（不連続となる）ので、キャリア同期をとるのに長い時間がかかる課題があった。
【０００４】
本発明はこのような状況に鑑みてなされたものであり、バースト信号であっても、容易にかつ高速に、受信した信号をキャリア同期させることができるようにするものである。
【０００５】
【課題を解決するための手段】
請求項１に記載の同期装置は、所定の搬送波周波数を有し、位相変調された同期バースト信号を含む信号を受信して、この受信した信号の搬送波周波数の誤差を検出するとともに、この検出された搬送波周波数の誤差に基づいて、受信した信号の搬送波周波数の誤差を除去することにより、受信した信号から搬送波周波数に同期した信号を生成する周波数同期信号生成手段と、周波数同期信号生成手段からの搬送波周波数に同期した信号が供給されて、この搬送波周波数に同期した信号の搬送波位相の誤差を検出するとともに、この検出された搬送波位相の誤差に基づいて搬送波周波数に同期した信号の搬送波位相の誤差を除去することにより、周波数同期信号生成手段により搬送波周波数に同期された信号の位相を、受信された信号の搬送波位相に同期させる搬送波位相同期手段と、搬送波位相同期手段により位相が同期された信号から同期バースト信号を検出する同期バースト信号検出手段と、同期バースト信号検出手段により同期バースト信号が検出されたタイミングを検出するタイミング検出手段とを備えることを特徴とする。
【０００６】
請求項２に記載の同期方法は、所定の搬送波周波数を有し、位相変調された同期バースト信号を含む信号を受信して、この受信した信号の搬送波周波数の誤差を検出するとともに、この検出された搬送波周波数の誤差に基づいて、受信した信号の搬送波周波数の誤差を除去することにより、受信した信号から搬送波周波数に同期した信号を生成する周波数同期信号生成ステップと、周波数同期信号生成ステップで生成された搬送波周波数に同期した信号の搬送波位相の誤差を検出するとともに、この検出された搬送波位相の誤差に基づいて搬送波周波数に同期した信号の搬送波位相の誤差を除去することにより、周波数同期信号生成ステップで搬送波周波数に同期された信号の位相を、受信された信号の搬送波位相に同期させる搬送波位相同期ステップと、搬送波位相同期ステップで位相が同期された信号から同期バースト信号を検出する同期バースト信号検出ステップと、同期バースト信号検出ステップで同期バースト信号が検出されたタイミングを検出するタイミング検出ステップとを含むことを特徴とする。
【０００７】
請求項３に記載の提供媒体は、所定の搬送波周波数を有し、位相変調された同期バースト信号を含む信号を受信して、この受信した信号の搬送波周波数の誤差を検出するとともに、この検出された搬送波周波数の誤差に基づいて、受信した信号の搬送波周波数の誤差を除去することにより、受信した信号から搬送波周波数に同期した信号を生成する周波数同期信号生成ステップと、周波数同期信号生成ステップで生成された搬送波周波数に同期した信号の搬送波位相の誤差を検出するとともに、この検出された搬送波位相の誤差に基づいて搬送波周波数に同期した信号の搬送波位相の誤差を除去することにより、周波数同期信号生成ステップで搬送波周波数に同期された信号の位相を、受信された信号の搬送波位相に同期させる搬送波位相同期ステップと、搬送波位相同期ステップで位相が同期された信号から同期バースト信号を検出する同期バースト信号検出ステップと、同期バースト信号検出ステップで同期バースト信号が検出されたタイミングを検出するタイミング検出ステップとを含む処理を同期装置に実行させるコンピュータが読み取り可能なプログラムを提供することを特徴とする。
【０００８】
請求項１に記載の同期装置、請求項２に記載の同期方法、および請求項３に記載の提供媒体においては、所定の搬送波周波数を有し、位相変調された同期バースト信号を含む信号が受信されて、この受信された信号の搬送波周波数の誤差が検出されるとともに、この検出された搬送波周波数の誤差に基づいて、受信された信号の搬送波周波数の誤差が除去されることにより、受信された信号から搬送波周波数に同期した信号が生成される。生成された搬送波周波数に同期した信号の搬送波位相の誤差が検出されるとともに、この検出された搬送波位相の誤差に基づいて搬送波周波数に同期した信号の搬送波位相の誤差が除去されることにより、搬送波周波数に同期された信号の位相が、受信された信号の搬送波位相に同期させられ、位相が同期された信号から同期バースト信号が検出され、同期バースト信号が検出されたタイミングが検出される。
【０００９】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００１０】
請求項１に記載の同期装置は、所定の搬送波周波数を有し、位相変調された同期バースト信号を含む信号を受信して、この受信した信号の搬送波周波数の誤差を検出するとともに、この検出された搬送波周波数の誤差に基づいて、受信した信号の搬送波周波数の誤差を除去することにより、受信した信号から搬送波周波数に同期した信号を生成する周波数同期信号生成手段（例えば、図１のFLL１１）と、周波数同期信号生成手段からの搬送波周波数に同期した信号が供給されて、この搬送波周波数に同期した信号の搬送波位相の誤差を検出するとともに、この検出された搬送波位相の誤差に基づいて搬送波周波数に同期した信号の搬送波位相の誤差を除去することにより、周波数同期信号生成手段により搬送波周波数に同期された信号の位相を、受信された信号の搬送波位相に同期させる搬送波位相同期手段（例えば、図１のコスタスループ部１５）と、搬送波位相同期手段により位相が同期された信号から同期バースト信号を検出する同期バースト信号検出手段（例えば、図１のユニークワード検出部２１およびユニークワード検出部２３）と、同期バースト信号検出手段により同期バースト信号が検出されたタイミングを検出するタイミング検出手段（例えば、図１の相関値合成部２４）とを備えることを特徴とする。
【００１１】
図１は、本発明を適用したＢＳ信号を受信する受信装置１の構成例を示すブロック図である。FLL（Frequency Locked Loop）１１（詳細は、図２を用いて後述する）は、入力された受信信号からキャリア周波数の誤差を検出し、乗算部１２に出力する。乗算部１２は、供給された受信信号とFLL１１より供給された周波数誤差信号を乗算し、周波数誤差が除去されたキャリア成分をナイキストフィルタ（レイズドコサインロールオフフィルタ）１３に出力するとともに、遅延部１６に出力する。
【００１２】
ナイキストフィルタ１３は、供給された信号をフィルタ処理し、分離部１４に出力する。分離部１４は、供給された信号を同相成分Ｉ信号と直交成分Ｑ信号に分離し、コスタスループ部１５に出力する。コスタスループ部１５（詳細は、図４を用いて後述する）は、供給された信号の位相誤差を検出し、乗算部１７に出力する。また、遅延部１６は、供給された信号を所定の遅延時間（ナイキストフィルタ１３乃至コスタスループ部１５の処理時間）だけ遅延し、乗算部１７に出力する。
【００１３】
乗算部１７は、遅延部１６より供給された信号に対して、コスタスループ部１５より検出された位相誤差信号を乗算し、位相誤差を除去したキャリアをナイキストフィルタ１８に出力する。ナイキストフィルタ１８は、供給された信号をフィルタ処理し、分離部１９に出力する。分離部１９は、供給された信号から同相成分Ｉ信号と直交成分Ｑ信号を分離し、QASK（Quadrature Amplitude Shift Keying）デマッピング部２０に出力する。QASKデマッピング部２０は、供給された信号をデマッピングし、ユニークワード検出部２１に出力するとともに、遅延部２２に出力する。
【００１４】
ユニークワード検出部２１は、予め、ユニークワード（Unique Word）Ｗ２（詳細は、図６を用いて後述する）の値が設定されており、この値と、QASKデマッピング部２０より供給された信号との相関をとり、その相関値を相関値合成部２４に出力する。
【００１５】
一方、遅延部２２は、供給された信号を所定の遅延量（後述する）だけ遅延し、ユニークワード検出部２３に供給する。ユニークワード検出部２３は、予め、ユニークワードＷ１（詳細は、図６を用いて後述する）が設定されており、この値と、遅延部２２より供給された信号との相関をとり、その相関値を相関値合成部２４に出力するようになされている。
【００１６】
相関値合成部２４（詳細は、図５を用いて後述する）は、ユニークワード検出部２１とユニークワード検出部２３からの相関値を合成（加算）し、その値が所定の閾値以上となったとき、ユニークワードを検出したことを示す検出信号を出力するようになされている。すなわち、ユニークワード検出部２１とユニークワード検出部２３でそれぞれユニークワードＷ２とユニークワードＷ１が検出されたとき、検出信号が出力される。なお、相関値合成部２４は、検出信号を出力したとき、リセットされるようになされている。
【００１７】
図２は、FLL１１の構成例を表している。入力された受信信号は、乗算部３１に供給される。乗算部３１は、供給された受信信号と２乗ループ３６（詳細は、図３を用いて後述する）より供給された信号とを乗算し、ナイキストフィルタ３２に出力する。ナイキストフィルタ３２は、供給された信号をフィルタ処理し、遅延部３３に出力するとともに、乗算部３５に出力する。
【００１８】
遅延部３３は、供給された信号を所定の遅延時間（１シンボル時間）だけ遅延し、位相反転部３４に供給する。位相反転部３４は、供給された信号の位相を反転し、乗算部３５に出力する。乗算部３５は、ナイキストフィルタ３２より供給された信号に、位相反転部３４より供給された信号を乗算し、２乗ループ３６に供給する。
【００１９】
図３は、２乗ループ３６の構成例を表している。乗算部３５より入力された信号は、乗算部４１に供給される。乗算部４１は、供給された信号を２乗し、位相抽出部４２に出力する。位相抽出部４２は、乗算部４１より供給された信号から位相信号を抽出し、減算部４３と乗算部４６に出力する。
【００２０】
減算部４３は、供給された位相信号から定数0.5を減算し、極性判定部４４に出力する。極性判定部４４は、供給された信号の極性を判定し、加算部４５に出力する。加算部４５は、供給された信号に定数１を加算し、乗算部４６に出力する。乗算部４６は、位相抽出部４２より供給された位相信号と、加算部４５より供給された信号とを乗算し、増幅部４７に供給する。
【００２１】
増幅部４７は、供給された信号を−1/2倍に増幅し、増幅部４８は、供給された信号を0.005倍に増幅し、加算部４９に出力する。加算部４９は、増幅部４８より供給された信号に、遅延部５０により所定の遅延時間（１サンプル分）遅延された信号を加算し、加算部５１に出力する。
【００２２】
加算部５１は、供給された信号に、遅延部５３により所定の遅延時間（１サイクル分）だけ遅延された信号を加算し、モジュロ部５２に出力する。モジュロ部５２は、供給された信号を０乃至２πの範囲の値に変換し、遅延部５３と遅延部５４に出力する。
【００２３】
遅延部５４は、供給された信号を所定の遅延時間だけ遅延し、変換部５５に出力する。変換部５５は、供給された信号のエクスポーネンシャルをとり、乗算部１２に出力する。
【００２４】
図４は、コスタスループ部１５の構成例を表している。図４のコスタスループ部１５は、１次ループを構成している。図１の分離部１４からの同相成分Ｉ信号と直交成分Ｑ信号は、合成部６１に供給される。合成部６１は、供給された同相成分Ｉ信号と直交成分Ｑ信号を複素信号として合成し、乗算部６２に出力する。乗算部６２は、供給された信号を２乗し、乗算部６３に出力する。
【００２５】
乗算部６３は、乗算部６２より供給された信号と位相反転部７３より供給された信号を乗算し、その位相誤差にあたる誤差信号を位相抽出部６４に出力する。位相抽出部６４は、乗算部６３より供給された複素信号から位相信号を抽出し、増幅部６５に出力する。
【００２６】
増幅部６５は、供給された位相信号を増幅し、加算部６６に出力する。加算部６６は、増幅部６５より供給された位相信号と、遅延部６８より供給された信号を加算し、モジュロ部６７に出力する。モジュロ部６７は、加算部６６より供給された位相信号を０乃至２πの範囲の値に変換し、遅延部６８および遅延部６９に出力する。遅延部６８は、供給された位相信号を１サイクル分だけ遅延した後、変換部７０に出力する。
【００２７】
変換部７０は、供給された位相信号を複素信号に変換した後、位相反転部７１と乗算部７２に出力するようになされている。位相反転部７１は、供給された位相信号の位相を反転し、図１の乗算部１７に出力するようになされている。乗算部７２は、変換部７０より供給された位相信号を２乗し、位相反転部７３に出力する。位相反転部７３は、供給された位相信号の位相を反転し、乗算部６３に出力する。
【００２８】
図５は、相関値合成部２４の構成例を表している。図１のユニークワード検出部２１より出力された信号は、絶対値生成部８１に供給され、図１のユニークワード検出部２３より出力された信号は、絶対値生成部８２に供給される。絶対値生成部８１および絶対値生成部８２は、供給された信号の絶対値をとり、それぞれ加算部８３に出力する。加算部８３は、絶対値生成部８１より供給された信号と絶対値生成部８２より供給された信号とを加算し、減算部８４に出力する。
【００２９】
減算部８４は、スレッシュホールド（ＴＨ）値から、供給された信号を減算し、極性判定部８５に出力する。極性判定部８５は、供給された信号の極性を判定し、加算部８６に出力する。加算部８６は、供給された信号に定数値１を加算し、増幅部８７に出力する。増幅部８７は、供給された信号を0.5倍に増幅し、減算部８８に出力する。減算部８８は、供給された信号から定数0.5を減算し、増幅部８９に出力する。増幅部８９は、供給された信号を２倍に増幅し、検出信号として出力するようになされている。
【００３０】
次に、図１の受信装置１の動作について説明する。図１に示すように、受信信号は、FLL１１に供給されるとともに、乗算部１２に供給される。まず、図２のFLL１１の動作について説明する。図２の乗算部３１は、供給された複素数の受信信号と２乗ループ３６より供給された受信信号のキャリア周波数の誤差信号（後述する）を乗算する。この誤差信号の位相は、キャリアに対して逆相となっているため、複素数の乗算により、位相成分が加算（逆相なので減算）され、受信信号のキャリアの位相誤差が検出される。検出されたキャリアの位相誤差信号は、ナイキストフィルタ３２に出力される。ナイキストフィルタ３２は、供給された信号をフィルタ処理し、遅延部３３に出力するとともに、乗算部３５に出力する。
【００３１】
遅延部３３は、供給された信号を所定の遅延時間（１シンボル分）だけ遅延し、位相反転部３４に出力する。位相反転部３４は、供給された信号の位相を反転し、乗算部３５に供給する。乗算部３５は、ナイキストフィルタ３２より供給された信号に、位相反転部３４より供給された信号（いずれも複素数）を乗算する。これにより、受信信号の１シンボル当たりの位相差、すなわち、キャリア周波数の誤差が検出される。検出されたキャリアの周波数誤差信号は、２乗ループ３６に供給される。
【００３２】
次に、図３の２乗ループ３６の動作に進み、２乗ループ３６の乗算部４１は、供給された信号を２乗し、位相抽出部４２に出力する。位相抽出部４２は、乗算部４１より供給される複素信号から位相信号を抽出し、減算部４３と乗算部４６に出力する。
【００３３】
減算部４３は、供給された位相信号から定数0.5を減算し、極性判定部４４に出力する。極性判定部４４は、供給された信号を符号化し、加算部４５に出力する。例えば、極性判定部４３に供給された信号が正の場合、すなわち、減算部４３に供給された信号が定数0.5よりも大きい場合、＋１が加算部４５に出力され、減算部４３に供給された信号が定数0.5よりも小さい場合、−１が加算部４５に出力される。
【００３４】
加算部４５は、極性判定部４４より供給された信号に定数１を加算し、乗算部４６に出力する。例えば、加算部４５に供給された信号が＋１の場合、＋２が乗算部４６に出力され、加算部４５に極性判定部４４より供給された信号が−１の場合、０が乗算部４６に出力される。
【００３５】
乗算部４６は、位相抽出部４２より供給された位相信号と、加算部４５より供給された信号とを乗算し、増幅部４７に供給する。例えば、加算部４５より供給された信号が＋２の場合、位相抽出部４２より供給された信号が２倍にされて増幅部４７に供給され、加算部４５より供給された信号が０の場合、位相抽出部４２より供給された信号が０にされて増幅部４７に出力される。
【００３６】
このように、乗算部４１乃至増幅部４６において、乗算部４１に供給された信号が0.5以下のものがカットされる。すなわち、信号の小さなノイズがカットされる。
【００３７】
増幅部４７は、供給された信号を−1/2倍に増幅し、増幅部４８に出力する。増幅部４８は、供給された信号を0.005倍に増幅し、加算部４９に出力する。加算部４９は、供給された信号に、遅延部５０により所定の遅延量（１サイクル分）だけ遅延された信号を加算し、加算部５１に出力する。これにより、加算部４９に供給された信号の位相成分の積分が実行される。
【００３８】
加算部５１は、供給された信号に、遅延部５３により所定の遅延量（１サイクル分）だけ遅延された信号を加算し、モジュロ部５２に出力する。モジュロ部５２は、供給された信号を０乃至２πの範囲の値に変換し、遅延部５４に出力する。加算部５１乃至遅延部５３のループにより、加算部５１に供給された信号の周波数成分の積分が実行される。
【００３９】
遅延部５４は、供給された信号を所定の遅延量（１クロック分）だけ遅延し、変換部５５に出力する。変換部５５は、供給された信号のエクスポネンシャルをとることで、入力信号を複素信号に変換する。この２乗ループ３６により、BPSKの信号成分が除去され、キャリアの周波数誤差信号が出力される。
【００４０】
このようにして、FLL１１から受信信号のキャリアの周波数誤差が検出される。
【００４１】
図１の乗算部１２は、供給された受信信号（周波数誤差を含む）とFLL１１より供給された、逆相の周波数誤差信号（いずれも複素数）を乗算する。これにより、受信信号のキャリアの周波数成分誤差が除去される。
【００４２】
ナイキストフィルタ１３は、乗算部１２より供給された信号をフィルタ処理し、分離部１４に出力する。分離部１４は、供給された信号を同相成分Ｉ信号と直交成分Ｑ信号に分離する。
【００４３】
そして、図４のコスタスループ部１５の動作に進み、図４のコスタスループ部１５の合成部６１は、分離部４１より供給された同相成分Ｉ信号と直交成分Ｑ信号を合成して複素信号を生成し、乗算部６２に出力する。乗算部６２は、供給された信号を２乗する。
【００４４】
乗算部６３は、乗算部６２より供給された信号と位相反転部７３より供給された位相信号を乗算し、その誤差信号を位相抽出部６４に出力する。位相抽出部６４は、乗算部６３より供給された複素信号から位相誤差成分を抽出し、増幅部６５に出力する。増幅部６５は、供給された位相誤差信号を0.1倍に増幅し、加算部６６に出力する。加算部６６は、増幅部６５より供給された位相信号と、遅延部６８により１サイクル分だけ遅延された位相誤差信号を加算し、モジュロ部６７に出力する。モジュロ部６７は、加算部６６の出力を０乃至２πの範囲の値に変換する。この加算部６６、モジュロ部６７、および遅延部６８により、積分処理が行われる。
【００４５】
遅延部６９は、モジュロ部６７より供給された位相信号を所定の遅延量（１サイクル分）だけ遅延した後、変換部７０に出力する。変換部７０は、遅延部６９より供給された位相信号にエクスポネンシャルを適用して複素信号に変換した後、位相反転部７１と乗算部７２に出力する。乗算部７２は供給された信号を２乗し、位相反転部７３は乗算部７２より供給された信号の位相を反転し、乗算部６３に出力する。一方、位相反転部７１は、変換部７０より出力される位相信号を反転し、図１の乗算部１７に、キャリアの位相誤差信号として出力する。
【００４６】
図１の遅延部１６より供給された、周波数誤差は除去されているが、位相誤差は含まれているキャリアと、図４のコスタスループ部１５より出力された逆相の位相誤差信号（いずれも複素数）は、図１の乗算部１７に供給され、乗算される。これにより、位相誤差が除去されたキャリアが生成される。
【００４７】
ナイキストフィルタ１８は、乗算部１７より供給された信号をフィルタ処理し、分離部１９に出力する。分離部１９は、供給された信号を同相成分Ｉ信号と直交成分Ｑ信号に分離し、QASKデマッピング部２０に出力する。QASKデマッピング部２０は、供給された信号をデマッピング（復調）し、ユニークワード検出部２１に出力するとともに、遅延部２２に出力する。
【００４８】
ユニークワード検出部２１は、上述したように、予め、ユニークワードＷ２の値が設定されており、この値と、QASKデマッピング部２０より供給された信号との相関を演算し、その相関値を相関値合成部２４に出力する。
【００４９】
一方、遅延部２２は、供給された信号を所定の遅延量（ユニークワードＷ２とユニークワードＷ１の距離（具体的には１６０ビット）に対応する分）だけ遅延し、ユニークワード検出部２３に出力する。これにより、ユニークワード検出部２１にユニークワードＷ２が入力されるタイミングにおいて、ユニークワード検出部２３に、ユニークワードＷ１が入力されることになる。ユニークワード検出部２４は、上述したように、予め、ユニークワードＷ１が設定されており、この値と、遅延部２２より供給された信号との相関を演算し、その相関値を相関値合成部２４に出力する。
【００５０】
ここで、ユニークワード検出部２１およびユニークワード検出部２３の動作を図６を用いて詳細に説明する。まず、BPSK信号よりなる同期バースト信号について説明する。同期バースト信号は、図６（Ａ）に示すように、１フレームが９６ビットで構成され、最初の１６ビット（TAB１）または最後の１６ビット（TAB２）の位置に、図６（Ｂ）に示すように、それぞれユニークワードＷ１またはユニークワードＷ２が配置される。具体的には、８つのフレームにより構成されるスーパーフレームのうち、先頭のフレームに含まれる同期バースト信号のTAB１にユニークワードＷ１，TAB２にはユニークワードＷ２が配置され、残りの７つのフレームの同期バースト信号のTAB１にはユニークワードＷ１，TAB２には、ユニークワードＷ３が配置される。なお、６４ビットのデータとしては、例えば、変調方式や符号化率等の伝送情報を含むTMCC(Transmission Multiplexing Configuration Contorol)が配置されている。この例においては、ユニークワードｗ１として値（１Ｂ９５）が設定され、ユニークワードＷ２として値（Ａ３４０）が設定されている（いずれも１６進表記）。
【００５１】
図６（Ｃ）は、符号率1/2の畳み込み符号処理が施されている同期バースト信号を表している。但し、先頭の４ビットは、前段のバースト信号の最後の４ビットである。この４ビットを除く同期バースト信号は、畳み込み符号化されているため、合計１９２ビットの信号とされている。このうちのユニークワードＷ１とユニークワードＷ２にあたる部分（３２ビット）のそれぞれの先頭の１２ビットは、畳み込み符号化の際に前段のビットと併せて符号化されているため、ユニークワードとして用いることができない。したがって、ユニークワードとしては、残りの２０ビットが用いられており、ユニークワードＷ１の先頭のビットと、ユニークワードＷ２の先頭のビットとは、１６０ビット分離れている（このビット数に対応する遅延が、遅延部２２で行われる）。
【００５２】
次に、例えば、図６（Ｃ）に示した同期バースト信号が受信されているものとして、ユニークワード検出部２１、並びに、遅延部２２およびユニークワード検出部２３の動作について説明する。ユニークワード検出部２１には、２０ビットのユニークワードＷ２が予め設定されている。そして、ユニークワード検出部２１は、供給される信号との相関を１ビットづつ演算し、一致したとき１、一致しなかったとき０を、相関値合成部２４に出力する。例えば、演算した相関値が１８の場合、相関値１８が相関値合成部２４に出力される。
【００５３】
一方、遅延部２２は、供給された信号を１６０ビット分だけ遅延し、ユニークワード検出部２３に出力する。これは、同期バースト信号におけるユニークワードＷ１とユニークワードＷ２との配置が１６０ビット分づれているのを補正し、同時に検出しようとするためである。ユニークワード検出部２３にも、ユニークワード検出部２１と同様に、２０ビットのユニークワードＷ１が予め設定されている。そして、ユニークワード検出部２１は、供給される信号との相関を１ビットづつ演算し、一致したとき１、一致しなかったとき０を相関値合成部２４に出力する。例えば、演算した相関値が１９の場合、相関値１９が相関値合成部２４に出力される。
【００５４】
図１のユニークワード検出部２１より出力された信号は、図５の絶対値生成部８１に供給され、図１のユニークワード検出部２３より出力された信号は、図５の絶対値生成部８２に供給される。図５の絶対値生成部８１および絶対値生成部８２は、供給された信号の絶対値をとり、加算部８３に出力する。例えば、ユニークワード検出部２１から出力された信号が相関値１８の場合、相関値１８が加算部８３に出力され、ユニークワード検出部２３から出力された信号が相関値１９の場合、相関値１９が加算部８３に出力される。
【００５５】
加算部８３は、絶対値生成部８１より供給された信号と絶対値生成部８２より供給された信号とを加算し、減算部８４に出力する。例えば、ユニークワード検出部２１から出力された信号が相関値１８であり、ユニークワード検出部２３から出力された信号が相関値１９である場合は、相関値３７が減算部８４に出力される。減算部８４は、ＴＨ値から、加算部８３より供給された信号を減算し、極性判定部８５に出力する。例えば、減算部８４は、ＴＨ値を３５に設定し、減算部８４に供給された信号が相関値３７である場合、−２を極性判定部８５に出力する。
【００５６】
極性判定部８５は、供給された信号の極性を判定し、加算部８６に出力する。例えば、極性判定部８５は、供給された信号が正の場合、＋１を、供給された信号が負の場合、−１を、それぞれ加算部８６に出力する。加算部８６は、供給された信号に定数１を加算し、増幅部８７に出力する。例えば、供給された信号が＋１の場合、＋２が増幅部８７に出力され、供給された信号が−１の場合、０が増幅部８７に出力される。増幅部８７は、供給された信号を0.5倍に増幅し、減算部８８に出力する。例えば、供給された信号が＋２の場合、＋１が減算部８８に出力され、供給された信号が０の場合、０が減算部８８に出力される。
【００５７】
減算部８８は、供給された信号から定数0.5を減算し、増幅部８９に出力する。例えば、供給された信号が＋１の場合、＋0.5が増幅部８９に出力され、供給された信号が０の場合、−0.5が増幅部８９に出力される。増幅部８９は、供給された信号を２倍に増幅し、BPSK変調信号に含まれているユニークワードＷ１，Ｗ２の検出信号として出力する。例えば、供給された信号が＋0.5の場合、＋１が増幅部８９に出力され、供給された信号が−0.5の場合、−１が検出信号として出力される。すなわち、ユニークワード検出部２１およびユニークワード検出部２３から供給された相関値の和が一定の値のＴＨ値より大きいとき、＋１が検出信号として出力され、一定の値のＴＨ値より小さいとき、−１が検出信号として出力される。これにより、BPSK変調または８PSK変調信号を復調するための時間基準（同期信号）が得られたことになる。
【００５８】
以上のように、図１の受信装置１によれば、FLL１１により受信信号をキャリア周波数に同期させた後に、コスタスループ部１５によりキャリア位相に同期させるようにしたので、バースト信号であっても、容易にかつ高速に、キャリア同期させることができる。
【００５９】
なお、本明細書中において、システムの用語は、複数の装置、手段などにより構成される全体的な装置を意味するものとする。
【００６０】
また、本明細書中において、上記処理を実行するコンピュータプログラムをユーザに提供する提供媒体には、磁気ディスク、ＣＤ−ＲＯＭなどの情報記録媒体の他、インターネット、ディジタル衛星などのネットワークによる伝送媒体も含まれる。
【００６１】
【発明の効果】
以上のように、本発明請求項１に記載の同期装置、請求項２に記載の同期方法、および請求項３に記載の提供媒体によれば、受信された信号の搬送波周波数に同期させた後、位相同期させるようにしたので、バースト信号であっても、容易にかつ高速に、搬送波同期させることができる。
【図面の簡単な説明】
【図１】本発明を適用した受信装置１の構成例を示すブロック図である。
【図２】図１のFLL11の構成例を示すブロック図である。
【図３】図２の２乗ループ３６の構成例を示すブロック図である。
【図４】図１のコスタスループ部１５の構成例を示すブロック図である。
【図５】図１の相関値合成部２４の構成例を示すブロック図である。
【図６】ユニークワードを説明する図である。
【符号の説明】
１  受信装置，  １１  FLL，  １２  乗算部，  １３  ナイキストフィルタ，  １４  分離部，  １５  コスタスループ部，  １６  遅延部，  １７  乗算部，  １８  ナイキストフィルタ，  １９  分離部，  ２０  QASKデマッピング部，  ２１  ユニークワード検出部，  ２２  遅延部  ２３  ユニークワード検出部，  ２４  相関値合成部，  ３１  乗算部，  ３２  ナイキストフィルタ，３３  遅延部，  ３４  位相反転部，  ３５  乗算部，  ３６  ２乗ループ
【図１】
0003994550.tif 000002
【図２】
0003994550.tif 000003
【図３】
0003994550.tif 000004
【図４】
0003994550.tif 000005
【図５】
0003994550.tif 000006
【図６】
0003994550.tif 000007